(57)【要約】【課題】重送が発生した場合でも、プロセスユニットによる全ての用紙に対する処理を繰り返して行う必要が無く、したがって処理時間の短縮化を図るとともに、ユーザの負担・手間を省いて、使い勝手に優れた用紙搬送装置を提供する。【解決手段】プロセスユニット５への用紙の送給動作が完了したことを検知するための送給検知部４３により、プロセスユニット５への用紙の送給動作が完了したことが検知されてから、搬出部１７による搬送経路１３への用紙の送り出し操作を行うようにした。【選択図】図１
2009040576.tif 000002
【特許請求の範囲】
【請求項１】
搬送経路を介して、用紙をプロセスユニットに送給する用紙搬送装置であって、
堆積状にセットされた用紙から一枚ずつ用紙を取り出して、該用紙を前記搬送経路に向かって送り出す搬出部と、
前記プロセスユニットへの用紙の送給動作が完了したことを検知するための送給検知部とを備えており、
前記送給検知部により、プロセスユニットへの用紙の送給動作が完了したことが検知されてから、前記搬出部による用紙の送り出し操作が行われるように構成されていることを特徴とする用紙搬送装置。
【請求項２】
前記送給検知部により、用紙の後端部が搬送経路を通過したことを検知してから所定時間経過したのちに、前記搬出部による用紙の送り出し操作が行われるように構成されている請求項１記載の用紙搬送装置。
【請求項３】
前記所定時間が、前記送給検知部により用紙の後端部が搬送経路を通過したことを検知してから、該用紙が用紙排出部に排出されるまでに要する時間に設定されている請求項２記載の用紙搬送装置。
【請求項４】
前記送給検知部により、前記プロセスユニットへの用紙の送給動作が完了したことが検知されてから、前記搬出部による用紙の送り出し操作を行う第１モードと、
前記送給検知部により、前記プロセスユニットへの用紙の送給動作が完了したことが検知される前に、前記搬出部による用紙の送り出し操作を行う第２モードとを備え、
これら第１モードと第２モードとがユーザーによって切り替え可能である請求項１乃至３のいずれかに記載の用紙搬送装置。
【請求項５】
搬出部により用紙を搬送経路に送り出すステップと、
搬送経路内を搬送されてきた用紙がプロセスユニットに送給されたことを検知する送給検知ステップと、
前記送給検知ステップにより、用紙がプロセスユニットに送給されたことが検知されてから、前記搬出部により次の用紙を搬送経路内に送り出すステップとを含むことを特徴とする用紙搬送方法。
【請求項６】
前記送給検知部により、用紙の後端部が搬送経路を通過したことを検知してから所定時間経過したのちに、前記搬出部による用紙の送り出し操作を行う請求項５記載の用紙搬送方法。
【請求項７】
前記所定時間が、前記送給検知部により用紙の後端部が搬送経路を通過したことを検知してから、該用紙が用紙排出部に排出されるまでに要する時間に設定されている請求項６記載の用紙搬送方法。
【発明の詳細な説明】
【技術分野】
【０００１】
本発明は、搬送経路を介して用紙をプロセスユニットに送給する用紙搬送装置および用紙搬送方法に関する。本発明に係る用紙搬送装置および用紙搬送方法は、例えば、複写機における原稿搬送機構や、プリンターにおける記録用紙の搬送機構などに適用できる。なお、原稿読取装置のＣＣＤもしくはＣＩＳを備えた読取部、または画像形成装置における、電子写真方式、インクジェット方式もしくは熱転写方式の記録部が、本発明におけるプロセスユニットに該当する。
【背景技術】
【０００２】
電子写真式の複写機には、原稿載置台上に原稿を自動的に送る自動原稿送り装置（ＡＤＦ）を備え、ＡＤＦから供給された原稿を記録用紙に順々に複写するものがある。このような複写機において、ＡＤＦの原稿トレイ上に堆積状にセットされて、ピックアップローラにより一枚ずつ搬出された原稿は、装置本体内に設けられた搬送経路を通って原稿載置台に送られて読取装置で読み取られ、原稿に対応する画像が記録用紙に形成される。読み取られた原稿は、原稿載置台からＡＤＦ上の原稿排紙部に排出される。
【０００３】
以上のような複写機では、二枚以上の原稿が重なった状態で同時にＡＤＦから搬送経路内に搬出される、所謂「重送」と称される状態に陥ることがある。重送状態に陥ると、搬送経路内で原稿が詰まり、以後の原稿の搬出動作、或いは読み取り動作が不可能となる。複写されない原稿ができる、所謂「コピー抜け」が生じるおそれもある。
そこで特許文献１では、ＡＤＦに重送を検出する検知手段を付与して、該検知手段で原稿が重送状態に陥ったことが検知されると、直ちに原稿の搬送を停止するようにしている。
【０００４】
【特許文献１】特開昭６０−２６００３２号公報
【発明の開示】
【発明が解決しようとする課題】
【０００５】
上述のように、従来の複写機では、重送が検知されると直ちに読み取り動作を停止しているため、先に搬送されている原稿に対する読取装置による読み取り動作が、どの程度進んでいるかわからず、一律に正しい画像が得られていないものとみなして、既に読み取り動作が終了した原稿の画像も含めて、全ての読取画像を破棄している。このため、ユーザは、ＡＤＦに原稿をセットし直して、一枚目から原稿を再度読み込ませる必要があり、原稿を再セットする手間が掛かり、或いは、同じ原稿の読み取り動作を二度行う煩雑さがあり、複写機の使い勝手の点で問題があった。換言すれば、読取装置などのプロセスユニットによる処理を始めから再度行う必要があり、その点に改良の余地があった。
【０００６】
本発明は以上のような問題点を解決するためになされたものであり、重送が発生した場合でも、プロセスユニットによる全ての用紙に対する処理を繰り返して行う必要が無く、したがって処理時間の短縮化を図るとともに、ユーザの負担・手間を省いて、使い勝手に優れた用紙搬送装置をおよび用紙搬送方法を提供することにある。
【課題を解決するための手段】
【０００７】
本発明は、搬送経路を介して、用紙をプロセスユニットに送給する用紙搬送装置を対象とする。この用紙搬送装置は、堆積状にセットされた用紙から一枚ずつ用紙を取り出して、該用紙を前記搬送経路に向かって送り出す搬出部と、前記プロセスユニットへの用紙の送給動作が完了したことを検知するための送給検知部とを備えている。
そして、前記送給検知部により、プロセスユニットへの用紙の送給動作が完了したことが検知されてから、前記搬出部による用紙の送り出し操作が行われるように構成されていることを特徴とする。
【０００８】
前記供給検知部により、用紙の後端部が搬送経路を通過したことを検知してから所定時間経過したのちに、前記搬出部による用紙の送り出し操作が行われるように構成することができる。
【０００９】
具体的には、前記所定時間は、前記供給検知部により用紙の後端部が搬送経路を通過したことを検知してから、該用紙が用紙排出部に排出されるまでに要する時間に設定することができる。
【００１０】
前記送給検知部により、前記プロセスユニットへの用紙の送給動作が完了したことが検知されてから、前記搬出部による用紙の送り出し操作を行う第１モードと、前記送給検知部により、前記プロセスユニットへの用紙の送給動作が完了したことが検知される前に、前記搬出部による用紙の送り出し操作を行う第２モードとを備え、これら第１モードと第２モードとがユーザーによって切り替え可能に構成することができる。
【００１１】
また、本発明に係る用紙搬送方法は、搬出部により用紙を搬送経路に送り出すステップと、搬送経路内を搬送されてきた用紙がプロセスユニットに送給されたことを検知する送給検知ステップと、前記送給検知ステップにより、用紙がプロセスユニットに送給されたことが検知されてから、前記搬出部により次の用紙を搬送経路内に送り出すステップとを含むことを特徴とする。
【００１２】
前記供給検知部により、用紙の後端部が搬送経路を通過したことを検知してから所定時間経過したのちに、前記搬出部による用紙の送り出し操作を行うようにすることができる。
【００１３】
具体的には、前記所定時間は、前記供給検知部により用紙の後端部が搬送経路を通過したことを検知してから、該用紙が用紙排出部に排出されるまでに要する時間に設定することができる。
【発明の効果】
【００１４】
本発明に係る用紙搬送装置および用紙搬送方法においては、送給検知部により、プロセスユニットへの用紙（先の用紙）の送給動作が完了したことが検知されてから、搬出部による用紙（後の用紙）の送り出し操作を行うようにした。したがって、後の用紙が重送状態に陥ったときにも、プロセスユニットの手前に先の用紙は存在せず、既に先の用紙はプロセスユニットに送給されている。このため、先の用紙に対するプロセスユニットによる処理を最後まで確実に実行することができる。
【００１５】
これによれば、例えば、本発明に係る用紙搬送装置および用紙搬送方法を複写機の原稿搬送機構に適用した場合には、重送の発生時点において、それ以前に搬送経路内に存する原稿に対しては、最後まで読取装置（プロセスユニット）による原稿の読み取り動作を実行させることができる。したがって、従前の重送が検知されると直ちに読み取り動作を停止させていた従来形態のように、読み取り途中で読み取り動作が中断されて、結局破棄せざるを得ない原稿画像は生じない。このことは、重送状態に陥った原稿と、重送状態以前において正常に読み取られた原稿とを明確に区別できることを意味し、したがって、当該正常に読み取られた原稿の画像を破棄することなく保存し、これを有効利用することができる。換言すれば、正常に読み取られた原稿画像に対しては、問題無く複写処理を実行することができるので、全ての原稿を自動搬出部であるＡＤＦにセットし直す必要がなく、或いは一枚目の原稿から再度読み取り動作を行う必要がなく、ユーザの負担或いは手間を少なくして、使い勝手に優れた複写機を提供することができる。
【００１６】
また、本発明に係る用紙搬送装置および用紙搬送方法をプリンターの記録用紙の搬送機構に適用した場合には、重送の発生時点において、それ以前に搬送経路内に存する記録用紙に対しては、最後まで画像形成装置（プロセスユニット）による画像形成動作を実行させることができる。したがって、画像形成動作が中断されて、部分的に画像が形成された記録用紙は生じず、ユーザが画像形成動作の完了したページを確認する手間、又はプリントページを再指定する負担或いは手間などを少なくして、使い勝手に優れたプリンターを提供することができる。
【００１７】
供給検知部により、用紙の後端部が搬送経路を通過したことを検知してから所定時間経過したのちに、前記搬出部による用紙の送り出し操作を行うようにすることができる。これによれば、プロセスユニットによる十分な処理時間を確保して、より確実に最後までプロセスユニットによる処理を実行させることができる。
【００１８】
より具体的には、所定時間は、前記供給検知部により用紙の後端部が搬送経路を通過したことを検知してから、該用紙が用紙排出部に排出するまでに要する時間に設定することができる。これによれば、先の用紙が用紙排出部に排出されてから、後の用紙を搬送経路に送り出すため、当該後の用紙が重送状態に陥った場合にも、先の用紙は搬送経路上には存在しない。したがって、プロセスユニットによる処理が終了した用紙と、重送状態となった用紙とを明確に区別して、両者が混合されることを確実に防ぐことができる。
【００１９】
プロセスユニットへの用紙の送給動作の完了後に搬出部による用紙の送り出し操作を行う第１モードと、プロセスユニットへの用紙の送給動作の完了前に搬出部による用紙の送り出し操作を行う第２モードとを備え、これら第１モードと第２モードとがユーザーによって切り替え可能な構成とした用紙搬送装置によれば、搬出部による送り出しタイミングを、用紙の搬送枚数やユーザーの趣向に応じて切り替え設定することができるので、本発明に係る用紙搬送装置を備えた複合機等の実用利便性の向上を図ることができる。
【００２０】
つまり、第１モードを選択した場合には、プロセスユニットへの用紙の送給動作の完了後に、次の用紙の搬出部による送り出し操作が行われるため、結果として画像読み取り速度や画像形成速度が低下することが避けられない。そこで本発明のように、プロセスユニットへの用紙の送給動作の完了前に、次の用紙の搬出部による送り出し操作を行う第２モードを備え、これら第１モードと第２モードが、ユーザーにより任意に切り替え選択可能に構成していると、第２モードを選択した場合には、プロセスユニットへの送給動作の完了とは無関係に、順次用紙の送り出し操作が行われる。したがって、第１モードのような画像読み取り速度や画像形成速度の低下問題は生じず、よりスピーディな画像読み取り動作等が実現できる。
【発明を実施するための最良の形態】
【００２１】
図１から図３に、本発明に係る用紙搬送装置を複写機の原稿搬送機構に適用した実施形態を示す。図２において、この複写機１は、給紙カセット２と、該給紙カセット２から記録用紙給送路を経て送られてきた記録用紙に対して画像形成を行う画像記録部３と、該画像記録部３の上方に配置された画像読取部４と有する。画像記録部３は、感光体ユニット５と、感光体ユニット５にトナーを供給するトナーカートリッジ６などを主要構成要素とする。画像読取部４の上面には、各種操作ボタンを有する操作パネル７と、自動原稿搬送装置（用紙搬送装置：以下「ＡＤＦ」と記す）９とが設置されている。ＡＤＦ９は、画像読取部４の原稿押さえカバー１０内に組み付けられている。
【００２２】
図１、図２および図３において、ＡＤＦ９は、上方の原稿トレイ１１から下方の原稿排出部１２に至るＵ字状の原稿搬送経路１３（以下、「搬送経路」と記す）を備えるものであり、原稿トレイ１１上に載置された原稿を搬送経路１３に送り込み、読取装置１５（プロセスユニット）で原稿画像を形成する。
図１および図３に示すように、ＡＤＦ９は、原稿トレイ１１上に堆積状にセットされた原稿１６から、一枚ずつ原稿を取り出して搬送経路１３に向かって送り出す搬出部１７と、搬送経路１３の所定箇所に配設された搬送ローラ群と、搬送経路１３内の原稿の位置を検出するためのセンサ群などで構成される。
【００２３】
搬出部１７は、ピックアップローラ１９と、該ピックアップローラ１９の下部に配置されて、原稿１６を上向きに付勢するパッド２０とを備え、これらローラ１９とパッド２０とが協働して、原稿トレイ１１から一枚ずつ原稿を取り出して搬送経路１３に送り出す。
【００２４】
搬送ローラ群は、搬送経路１３の上流位置に配されて、搬出部１７から搬送経路１３内に送り出された原稿の下流方向への搬送動作を担うレジストローラ（始端ローラ）２１と、該レジストローラ２１よりも搬送経路１３の下流位置に設けられた第１〜第３のフィードローラ２２・２３・２４と、裏面原稿の読み取り動作を担うＣＩＳ（Ｃｏｎｔａｃｔ
Ｉｍａｇｅ  Ｓｅｎｓｏｒ）読取ユニット２５の対向位置に設けられたＣＩＳローラ２６と、最下流位置に設けられて、原稿排出部１２への原稿の排出動作を担うイグジットローラ２７などで構成される。これらローラ１９・２１・２２・２３・２４・２７は、動力伝動系３０・３１・３２を介してＡＤＦモータ３３から供給された駆動力を受けて回転駆動される。
【００２５】
ピックアップローラ１９に至る動力伝動系３０の中途部には、給紙クラッチ４８が設けられており、該給紙クラッチ４８をオフ操作することで、ＡＤＦモータ３３からピックアップローラ１９に供給される回転駆動力を遮断することができる。また、レジストローラ２１に至る動力伝動系３１の中途部には、レジストクラッチ４９が設けられており、該レジストクラッチ４９をオフ操作することで、ＡＤＦモータ３３からレジストローラ２１に供給される回転駆動力を遮断することができる。
【００２６】
読取装置１５は、プラテンガラス３４と、該プラテンガラス３４を支えるボトムフレーム３５とを有し、これらプラテンガラス３４とボトムフレーム３５で形成される内部空隙に、原稿を読み取るＣＣＤ（Ｃｈａｒｇｅ  Ｃｏｕｐｌｅｄ  Ｄｅｖｉｃｅ）読取ユニット３６が配設されている。ＣＣＤ読取ユニット３６は、プラテンガラス３４上の原稿に向かってスキャナ光を照射する光源３７や、原稿からの反射光を電気信号に変換して画像読み取りを行うＣＣＤイメージセンサ３８などを備える。
図３に示すように、読取装置１５の表面原稿読み取り位置は、搬送経路１３における第２フィードローラ２３と第３フィードローラ２４との中間部に設けられている。つまり、第２フィードローラ２３は、最終的な読取装置１５への原稿の送給動作を担っており、本発明における送給ローラとして作用する。
【００２７】
図１および図４に示すように、搬送経路１３には、上流側から順に、ＤＳＳセンサ４０、ＤＲＳセンサ４１、ＷＦＳセンサ４２、ＤＳ２センサ４３、ＤＳ３センサ４４などの各種センサが設けられている。また、原稿トレイには、ＤＳ１センサ４５（図４参照）が設けられており、トレイ上に載置された原稿の大きさを検知する。ＤＳＳセンサ４０は原稿の後端を検知するものであり、ＤＲＳセンサ４１は、原稿の先端を検知し、レジストのタイミング制御に用いる。
【００２８】
ＷＦＳセンサ（重送検知部）４２は、搬送経路１３内を流れる原稿の厚みを検出するものである。具体的には、搬送経路１３を挟むように上下一対のローラを配置し、ＷＦＳセンサ４２により、これらローラの対向間隔を検知する。そして、当該ＷＦＳセンサ４２による検出値をＲＡＭ５５或いはＲＯＭ５２内に記憶されている閾値と比較し、検出値が閾値を超えると、搬出部１７から搬送経路１３内に送り出された原稿が重送状態に陥ったと判断することができる。
ＤＳ２センサ４３は、原稿読み取り位置に至った原稿の後端を検知する。ＤＳ３センサ４４は、両面モードにおいて、ＣＩＳ読取ユニット２５に至った原稿の後端を検知する。  なお、ＷＦＳセンサ４２による重送検知は、操作パネル７の操作によって、重送検知モードが選択されている場合のみ実行される。
【００２９】
図４に示すように、画像読取部４は、画像読取制御部５０および複写機１の全体の制御を担う本体制御部５１により制御される。画像読取制御部５０は、ＡＤＦ９を制御するものであり、ＷＦＳセンサ４２、ＤＳ１センサ４５、ＤＳ２センサ４３、ＤＳ２センサ４４、ＤＳＳセンサ４０、ＤＲＳセンサ４１などの各センサからの検出信号に基づいて、レジストクラッチ４９、ＡＤＦモータ３３、給紙クラッチ４８、ＣＣＤ読取ユニット３６、ＣＩＳ読取ユニット２５などを制御する。
【００３０】
本体制御部５１は、操作パネル７を構成する各種スイッチからの操作信号を受けて、ＲＯＭ５２に格納されている制御プログラムを読み出し、当該制御プログラムに基づいて、画像読取制御部５０、ＣＯＤＥＣ５３、画像記録部３などを制御する。本体制御部５１には、作業領域としてのＲＡＭ５５やタイマー５７のほか、ＣＣＤ読取ユニット３６やＣＩＳ読取ユニット２５で読み取られた原稿画像が格納される画像メモリ５６が接続されている。
【００３１】
次にＡＤＦ９を使った原稿の読み取り動作について、図５および図６を参照して説明する。
図５に示すように、まず、原稿トレイ１１上に原稿がセットされた状態で、操作パネル７のスタートボタンからのオン信号を受けると（Ｓ１でＹＥＳ）、制御部５０・５１は、ＡＤＦモータ３３をオン操作して、動力伝動系３０・３１・３２を介してローラ１９・２１・２２・２３・２４・２７を回転駆動させる。これにて、ピックアップローラ１９により一枚目の原稿がピックアップされて（Ｓ２）、原稿は搬出部１７から搬送経路１３に送り出され、レジストローラ２１や第１〜第３のフィードローラ２２・２３・２４により、搬送経路１３内を下流側に向かって搬送されていく。原稿トレイ１１上に原稿がセットされたか否かは、ＤＳ１（４５）によって検知される。操作パネル７のスタートボタンがオン操作されるまで（Ｓ１でＮＯ）、画像読取部４は待機状態となる。
【００３２】
次に制御部５０・５１は、重送検知モード（第１モード）が選択されているか否かを確認する（Ｓ３）。重送検知モードが選択されていない場合には（第２モード：Ｓ３でＮＯ）、ＤＳＳセンサ４０からの検出信号を、次の原稿の給紙タイミングとしてピックアップローラ１９を作動させる。具体的には、ＤＳＳセンサ４０により原稿の後端が検知されると（Ｓ４）、後端検知からの経過時間をタイマー５７で計時し、所定時間が経過すると（Ｓ５でＹＥＳ）、ＤＳ１センサ（４５）からの検出信号に基づいて、原稿トレイ１１上の原稿の有無を確認する（Ｓ６）。そして、原稿がある場合には（Ｓ６でＮＯ）、次の原稿をピックアップして搬送経路１３内に送り出し（Ｓ７）、Ｓ４に戻る。原稿トレイ１１上に原稿が無い場合には（Ｓ６でＹＥＳ）、先の送られた原稿が原稿排出部１２に至るまで、所定時間だけＡＤＦモータ３３を駆動させて、各種ローラ２１・２２・２３・２４・２７を回転駆動させて終了する。
【００３３】
重送検知モードが選択されていない場合には、重送に陥った場合でもＷＦＳセンサ４２による重送検知は行わないので、各ステップ（Ｓ４・Ｓ５・Ｓ６・Ｓ７）が実行される。
【００３４】
重送検知モードが選択されている場合には（図５、Ｓ３でＹＥＳ）、図６に示すように、まず、表面のみを複写する片面コピーモードが選択されているか、表裏面を複写する両面コピーモードもしくは裏面のみ複写する裏面コピーモードが選択されているかを確認する（Ｓ８）。片面コピーモードが選択されている場合には（Ｓ８でＹＥＳ）、ＤＳ２センサ４３からの検出信号を、次の原稿の給紙タイミングとしてピックアップローラ１９を作動させる。具体的には、ＤＳ２センサ４３により原稿の後端が検知されると（Ｓ９）、後端検知からの経過時間をタイマー５７で計時し（Ｓ１０）、所定時間が経過すると（Ｓ１０でＹＥＳ）、ＤＳ１センサ４５からの検出信号に基づいて、原稿トレイ１１上の原稿の有無を確認する（Ｓ１１）。ここでは、ＤＳ２センサ４３による後端検知から、原稿が原稿排出部１２に至るまでの時間を「所定時間」とする。
【００３５】
そして、原稿トレイ１１上に原稿がある場合には（Ｓ１１でＮＯ）、次の原稿をピックアップして搬送経路１３内に送り出し（Ｓ１２）、Ｓ９に戻る。原稿トレイ１１上に原稿が無い場合には（Ｓ１１でＹＥＳ）、先の送られた原稿が原稿排出部１２に至るまで、所定時間だけＡＤＦモータ３３を駆動させて、各種ローラ２１・２２・２３・２４・２７を回転駆動させて終了する。
【００３６】
両面コピーモードもしくは裏面のみ複写する裏面コピーモードが選択されている場合には（Ｓ８でＮＯ）、ＤＳ３センサ４４からの検出信号を、次の原稿の給紙タイミングとしてピックアップローラ１９を作動させる。具体的には、ＤＳ３センサ４４により原稿の後端部が検出されると（Ｓ１３でＹＥＳ）、後端検知からの経過時間をタイマー５７で計時し（Ｓ１４）、所定時間が経過すると（Ｓ１４でＹＥＳ）、ＤＳ１センサ（４５）からの検出信号に基づいて、原稿トレイ１１上の原稿の有無を確認する（Ｓ１５）。ここでは、ＤＳ３センサ４４による後端検知から、原稿が原稿排出部１２に至るまでの時間を「所定時間」とする。
【００３７】
そして、原稿トレイ１１上に原稿がある場合には（Ｓ１５でＮＯ）、次の原稿をピックアップして搬送経路１３内に送り出し（Ｓ１６）、Ｓ１３に戻る。原稿トレイ１１上に原稿が無い場合には（Ｓ１５でＹＥＳ）、先の送られた原稿が原稿排出部１２に至るまで、所定時間だけＡＤＦモータ３３を駆動させて、各種ローラ２１・２２・２３・２４・２７を回転駆動させて終了する。
【００３８】
重送検知モードが選択されている場合において（Ｓ３でＹＥＳ）、ＷＦＳセンサ４２により重送状態に陥ったことが検知されると、直ちにＡＤＦモータ３３を停止して、全てのローラの回転駆動を停止する。
【００３９】
原稿が搬送通路１３を通過すると、ＣＩＳ読取ユニット２５やＣＣＤ読取ユニット３６などの読取装置１５により、原稿画像が形成される。この原稿画像は、画像メモリ５６に蓄積されて、読み取り動作の終了後、或いは読み取り動作に並行して画像記録部３により記録用紙に記録（複写）される。
【００４０】
以上のように、重送状態に陥った場合でも、先の原稿に対しては読み取り動作を最後まで実行することができる。つまり、上述の図６で説明したように、ＤＳ２センサ４３又はＤＳ３センサ４４により原稿の後端が検知されたのち、先の原稿が原稿排出部１２に至るまでの所定時間が経過してから、次の原稿に対する搬送経路１３に対する送り出し動作を行っている。このため、重送状態に陥った場合でも、先の原稿は原稿排出部１２に至っており、読取装置１５による読み取り動作は終了している。
【００４１】
以上のように、本実施形態においては、ＤＳ２センサ４３又はＤＳ３センサ４４により後端が検知されたのちに、ピックアップローラ１９による次の原稿の送り出し動作を行うようにした。これによれば、次の用紙が重送状態に陥ったときにも、ＣＣＤ読取ユニット３６による読み取り箇所やＣＩＳ読取ユニット２５による読み取り箇所の手前に先の原稿は存在せず、既に先の原稿に対する読み取り動作は終了している。このため、先の原稿に対する読取装置１５による読み取り動作を最後まで確実に実行することができる。
【００４２】
したがって、本実施形態によれば、正常に読み取られた原稿の画像を破棄することなく保存し、これを有効利用することができる。換言すれば、正常に読み取られた原稿画像に対しては、問題無く複写処理を実行することができるので、全ての原稿を自動搬出部であるＡＤＦ９にセットし直す必要がなく、或いは一枚目の原稿から再度読み取り動作を行う必要がなく、ユーザの負担或いは手間を少なくして、使い勝手に優れた複写機を提供することができる。
【００４３】
上記の実施形態では、本発明に係る用紙搬送装置を複写機１の原稿搬送機構に適用していたが、図７に示すような画像記録部３の記録用紙の搬送機構に適用することもできる。この場合には、給紙カセット２のピックアップローラが本発明の搬出部に相当し、感光体ユニット５が本発明のプロセスユニットに相当する。
【００４４】
給紙カセット２から用紙排出部６０に至る搬送経路６１の上流位置に重送検知部６２を設けて、この重送検知部６２で給紙カセット２から送り出された記録用紙が重送状態に陥ったことを検知する。また、感光体ユニット５の上流位置の上流位置および下流位置に、該感光体ユニット５への記録用紙の供給動作が完了したことを検知するためのセンサ６３・６４を設ける。
【００４５】
図７に示す複写機によれば、重送の発生時点において、それ以前に搬送経路６１内に存する記録用紙に対しては、最後まで感光体ユニット５による画像形成動作を実行させることができる。したがって、画像形成動作が中断されて、部分的に画像が形成された記録用紙は生じず、ユーザが画像形成動作の完了したページを確認する手間や、プリントページを再指定する負担・手間などを少なくして、使い勝手に優れた複写機を提供することができる。
【００４６】
上記実施形態においては、重送検知部４２（ＷＦＳセンサ）の具体例としては、搬送経路１３を通過する原稿の厚みにより検出する方式を挙げているが、本発明はこれに限られず、それ以外の方式も採用し得る。例えば、搬送経路１３を挟んで受光素子と投光素子とを配置し、原稿通過時における受光量の変化に基づいて、重送状態に陥ったことを検知するものであってもよい。また、ＷＦＳセンサ４２の配設箇所は、図示例の箇所に限られない。
【００４７】
上記実施形態においては、重送検知モードがオンとされた状態を第１モード、重送検知モードがオフとされた状態を第２モードとしていたが、本発明はこれに限られない。要は第２モードでは、ＤＳ２センサやＤＳ３センサにより、プロセスユニット５・１５への用紙の送給動作が完了したことが検知される前に、搬出部１７による用紙の送り出し操作が行われるようになっていればよい。
【図面の簡単な説明】
【００４８】
【図１】本発明に係る用紙搬送装置および用紙搬送方法が適用されるＡＤＦのシステム概念図である。
【図２】本発明に係る用紙搬送装置および用紙搬送方法が適用される複写機の全体図である。
【図３】画像読取部の概略構成図である。
【図４】画像読取部のブロック構成図である。
【図５】画像読み取り動作を説明するためのフローチャートである。
【図６】重送検知モード時における動作を説明するためのフローチャートである。
【図７】本発明に係る用紙搬送装置および用紙搬送方法が適用される画像形成装置の概略構成図である。
【符号の説明】
【００４９】
５  プロセスユニット（感光体ユニット）
１３  搬送経路
１５  プロセスユニット（読取装置）
１７  搬出部
４３  送給検知部（ＤＳ２センサ）
４４  送給検知部（ＤＳ３センサ）
【図１】
2009040576.tif 000003
【図２】
2009040576.tif 000004
【図３】
2009040576.tif 000005
【図４】
2009040576.tif 000006
【図５】
2009040576.tif 000007
【図６】
2009040576.tif 000008
【図７】
2009040576.tif 000009